(57)【要約】【課題】ソーラーパネルキャリア体を提供する。【解決手段】若干の屋根瓦モジュールキャリア板１０と少なくとも１個のソーラーパネルキャリア板２０を接合して構成し、或いは若干のソーラーパネルキャリア板２０を接合して構成し、屋根瓦モジュールキャリア板１０と屋根瓦モジュールキャリア板１０との間、屋根瓦モジュールキャリア板１０とソーラーパネルキャリア板２０との間、或いはソーラーパネルキャリア板２０とソーラーパネルキャリア板２０との間の、相互左右接合による延伸、及び相互前後接合による延伸の方式を利用し、建築物の頂点部区域に敷設し、こうして直接建築物屋根の外観主体とすることができる。【選択図】図１
0003153661.tif 000002
【実用新案登録請求の範囲】
【請求項１】
ソーラーパネルキャリア体は、若干の屋根瓦モジュールキャリア板、少なくとも１個のソーラーパネルキャリア板を備え、
前記若干の屋根瓦モジュールキャリア板の板体の両側には、位置が比較的低い第一接続部と、位置が比較的高い第二接続部をそれぞれ形成し、前記第二接続部の前側には、第一接触嵌合部を設置し、前記板体の中心線前側の板縁位置には、前記第二接続部上方を跨いで設置する凹口を設置し、前記板体の中心線後側の板面には、前記第一接触嵌合部と嵌合作用を構成する第二接触嵌合部を設置し、
前記少なくとも１個のソーラーパネルキャリア板は、その板体上にソーラーパネルを設置し、前記板体の長さを、前記屋根瓦モジュールキャリア板の単位辺りの長さの倍数とし、前記板体の両側には、前記屋根瓦モジュールキャリア板と相同の第一、第二接続部をそれぞれ形成し、前記各単位の屋根瓦モジュールキャリア板が対応する板体位置には、前記屋根瓦モジュールキャリア板と相同の凹口と第一、第二接触嵌合部を設置することを特徴とするソーラーパネルキャリア体。
【請求項２】
ソーラーパネルキャリア体構造の屋根瓦モジュールキャリア板は、その板体の両側には、位置が比較的低い第一接続部と、位置が比較的高い第二接続部をそれぞれ形成し、
前記第二接続部の前側には、第一接触嵌合部を設置し、前記板体の中心線前側の板縁位置には、前記第二接続部上方を跨いで設置する凹口を設置し、前記板体の中心線後側の板面には、前記第一接触嵌合部と嵌合作用を構成する第二接触嵌合部を設置することを特徴とするソーラーパネルキャリア体構造の屋根瓦モジュールキャリア板。
【請求項３】
ソーラーパネルキャリア体構造のソーラーパネルキャリア板は、その板体上にソーラーパネルを設置し、
前記板体の両側には、位置が比較的低い第一接続部と、位置が比較的高い第二接続部をそれぞれ形成し、しかも、前記第二接続部の前側には、第一接触嵌合部を設置し、
前記板体前側の板縁位置には、前記第二接続部上方を跨いで設置する凹口を設置し、前記板体が凹口に対応する後側の板面には、前記第一接触嵌合部と嵌合作用を構成する第二接触嵌合部を設置することを特徴とするソーラーパネルキャリア体構造のソーラーパネルキャリア板。
【請求項４】
前記屋根瓦モジュールキャリア板と前記ソーラーパネルキャリア板は、その板体の後側に、それぞれ少なくとも１個のクギ孔を設置することを特徴とする請求項１、２或いは３に記載のソーラーパネルキャリア体。
【請求項５】
前記屋根瓦モジュールキャリア板と前記ソーラーパネルキャリア板は、その板体の前記第一接触嵌合部に対応する後端位置に、ストッパー部を設置することを特徴とする請求項１、２或いは３に記載のソーラーパネルキャリア体。
【請求項６】
前記第一接触嵌合部と前記第二接触嵌合部は、それぞれ相互に嵌合可能な凸ブロックと凹部であることを特徴とする請求項１、２或いは３に記載のソーラーパネルキャリア体。
【請求項７】
前記第一接続部と前記第二接続部には、相互に嵌合可能な棒状突起をそれぞれ設置することを特徴とする請求項１、２或いは３に記載のソーラーパネルキャリア体。
【考案の詳細な説明】
【技術分野】
【０００１】
本考案はソーラーパネルキャリア体に関し、特に直接敷設し建築物の屋根とすることができる外観主体で、従来の取り付け式の設置技術とは異なるソーラーパネルキャリア体及びそれに関連するキャリア板構造に関する。
【背景技術】
【０００２】
地球上で最も容易に得られ、最も廉価なエネルギーといえば、太陽エネルギーであろう。
そのため現在、太陽エネルギーは最も高い注目を集める応用エネルギーの一つである。
現行の技術領域において、太陽エネルギーの応用範囲は、温度調節、ソーラー電池、土壌浄化、空気浄化、水質浄化、家庭用電気システムなどに及んでいる。
【０００３】
中でも、太陽光発電と太陽エネルギー温水器は、環境保護を重視する現代家庭においては典型的な太陽エネルギーの応用実例である。
家庭環境において太陽エネルギーを合理的に利用するには、建築物中で最も頻繁に太陽光照射を受ける屋根部分にソーラーパネルを設置する。
こうして、ソーラーパネル(太陽エネルギー集熱器、或いは太陽光電池を含む)の転換を利用し、家庭用温水或いは家庭用電力供給の目的を達成する。
【０００４】
しかし、従来のソーラーパネルの多くは、特定のサイズに組立て後、相対するサポートフレームを利用し、建築物の屋根の上に固定するものである。
そのため、取り付け式の設置技術に属し、建築物全体の外観に重大な悪影響を及ぼしている。
特に施工中の建築物においては、屋根の外観主体の完成を待って、取り付け式のサポートフレームを利用し、ソーラーパネルを屋根の外観主体上に設置する必要がある。
そのため、材料の無駄であり、施工時間が長くなり、人件費の増大にも繋がっている。
本考案は、従来のソーラーパネルの上記した欠点に鑑みてなされたものである。
【考案の概要】
【考案が解決しようとする課題】
【０００５】
本考案が解決しようとする主要な課題は、直接建築物屋根の外観主体とすることができ、従来の取り付け式の設置技術とは異なるソーラーパネルキャリア体及びそれに関連するキャリア板構造を提供することである。
【課題を解決するための手段】
【０００６】
上記課題を解決するため、本考案は下記のソーラーパネルキャリア体を提供する。
キャリア体は、若干の屋根瓦モジュールキャリア板と少なくとも１個のソーラーパネルキャリア板を接合して構成し、或いは若干のソーラーパネルキャリア板を接合して構成し、
該屋根瓦モジュールキャリア板は、その板体の両側に、位置が比較的低い第一接続部と、位置が比較的高い第二接続部をそれぞれ形成し、該第二接続部の前側には、第一接触嵌合部を設置し、
該屋根瓦モジュールキャリア板は、その板体の中心線前側の板縁位置に、該第二接続部上方を跨いで設置する凹口を設置し、該板体の中心線後側の板面に、該第一接触嵌合部と嵌合作用を構成する第二接触嵌合部を設置し、
該ソーラーパネルキャリア板の長さを、該屋根瓦モジュールキャリア板の単位辺りの長さの倍数とし、しかも該板体の両側には、該屋根瓦モジュールキャリア板と相同の第一、第二接続部をそれぞれ形成し、該各単位の屋根瓦モジュールキャリア板が対応する板体位置には、該屋根瓦モジュールキャリア板と相同の凹口と第一、第二接触嵌合部を設置し、
該第二接続部を、該第一接続部に重ねる方式を利用し、該屋根瓦モジュールキャリア板と該屋根瓦モジュールキャリア板との間、該屋根瓦モジュールキャリア板と該ソーラーパネルキャリア板との間、或いは該ソーラーパネルキャリア板と該ソーラーパネルキャリア板との間の、相互左右接合による延伸を構成し、
該凹口を該第二接続部上方に跨いで設置する方式を利用し、該屋根瓦モジュールキャリア板と該屋根瓦モジュールキャリア板との間、該屋根瓦モジュールキャリア板と該ソーラーパネルキャリア板との間、或いは該ソーラーパネルキャリア板と該ソーラーパネルキャリア板との間の、相互前後接合による延伸を構成する。
【考案の効果】
【０００７】
本考案は、屋根瓦モジュールキャリア板とソーラーパネルキャリア板との間の組合せ、接合を利用し、建築物の頂点部に完全に敷設可能で、直接建築物屋根の外観主体とすることができるため、建築物外観の美観を大幅に向上させることができる。また本考案は、施工中の建築物において、屋根瓦モジュールキャリア板とソーラーパネルキャリア板との間の組合せ、接合を直接利用し、建築物屋根の外観主体とすることができるため、従来の取り付け式の設置技術とは異なり、材料コスト、施工時間、人件費を大幅に削減することができる。
【図面の簡単な説明】
【０００８】
【図１】本考案第一実施例によるソーラーパネルキャリア体の外観構造図である。
【図２】本考案第二実施例によるソーラーパネルキャリア体の外観構造図である。
【図３】本考案屋根瓦モジュールキャリア板の外観立体図である。
【図４】本考案ソーラーパネルキャリア板の外観立体図である。
【図５】本考案において、屋根瓦モジュールキャリア板と屋根瓦モジュールキャリア板との接合状態を示す平面図である。
【図６】本考案において、屋根瓦モジュールキャリア板と屋根瓦モジュールキャリア板との接合状態を示す断面図である。
【図７】本考案において、屋根瓦モジュールキャリア板の板体先端の固定方式を示す拡大図である。
【図８】本考案において、屋根瓦モジュールキャリア板の板体先端の別の固定方式を示す拡大図である。
【図９】本考案において、屋根瓦モジュールキャリア板の板体先端のさらに別の固定方式を示す拡大図である。
【図１０】本考案第三実施例による屋根瓦モジュールキャリア板とソーラーパネルキャリアとの相互接合状態を示す断面図である。
【考案を実施するための形態】
【０００９】
以下に図面を参照しながら本考案を実施するための最良の形態について詳細に説明する。
【実施例】
【００１０】
図１、２に示すように、本考案ソーラーパネルキャリア体は、若干の屋根瓦モジュールキャリア板１０、及び少なくとも１個のソーラーパネルキャリア板２０を接合して構成し(図１参照)、或いは若干のソーラーパネルキャリア板２０を接合して構成する(図２参照)。
【００１１】
図１、２に図３、４を合わせて示すように、屋根瓦モジュールキャリア板１０は、その板体の両側に、位置が比較的低い第一接続部３１、及び位置が比較的高い第二接続部３２をそれぞれ形成する。
しかも、第二接続部３２の前側には、第一接触嵌合部４１を設置する。
また、屋根瓦モジュールキャリア板１０は、その板体の中心線前側の板縁位置に、第二接続部３２上方を跨いで設置する凹口５１、及びその板体の中心線後側の板面に、第一接触嵌合部４１と嵌合作用を構成する第二接触嵌合部４２を設置する。
【００１２】
ソーラーパネルキャリア板２０は、その板体上にソーラーパネル２１を設置する。
各ソーラーパネル２１は、その板体の両側に、位置が比較的低い第一接続部３１、及び位置が比較的高い第二接続部３２をそれぞれ形成する。
しかも、第二接続部３２の前側には、第一接触嵌合部４１を設置する。
また、その板体前側の板縁位置に、第二接続部３２上方を跨いで設置する少なくとも１個の凹口５１、及び板体の凹口５１に相対する後側板面には、第一接触嵌合部４１と嵌合作用を構成する第二接触嵌合部４２を設置する。
【００１３】
実施時には、ソーラーパネルキャリア板２０の長さを、屋根瓦モジュールキャリア板１０の単位辺りの長さの倍数とする。
しかも、各一単位の屋根瓦モジュールキャリア板１０と対応する板体位置には、屋根瓦モジュールキャリア板１０と相同の凹口５１と第一、第二接触嵌合部４１、４２を設置する。
実施時には、第一接触嵌合部４１及び第二接触嵌合部４２は、相互に嵌合可能な凸ブロックと凹部とするが、相互に嵌合可能な凹部と凸ブロックとすることもできる。
【００１４】
ソーラーパネルモジュールキャリア体全体は、第二接続部３２を、第一接続部３１に重ねる方式を利用し、図５に示す屋根瓦モジュールキャリア板１０と屋根瓦モジュールキャリア板１０との間の、相互左右接合による延伸、図１に示す屋根瓦モジュールキャリア板１０とソーラーパネルキャリア板２０との間の、相互左右接合による延伸、或いは図２に示すソーラーパネルキャリア板２０とソーラーパネルキャリア板２０との間の、相互左右接合による延伸を構成する。
【００１５】
さらに、凹口５１が第二接続部３２上方を跨いで設置する方式を利用し、図５に示す屋根瓦モジュールキャリア板１０と屋根瓦モジュールキャリア板１０との間の、相互前後接合による延伸、図１に示す屋根瓦モジュールキャリア板１０とソーラーパネルキャリア板２０との間の、相互前後接合による延伸、或いは図２に示すソーラーパネルキャリア板２０とソーラーパネルキャリア板２０との間の、相互左右接合による延伸を構成する。
こうして、建築物の屋根部分に完全に敷設し、直接建築物の外観主体となることができる。
【００１６】
図３、４に示すように、具体的な実施時には、屋根瓦モジュールキャリア板１０とソーラーパネルキャリア板２０は、その後側の板面位置に、少なくとも１個のクギ孔６０を個別に設置することができる。
これにより、図６に示すように、クギ７１或いはネジ(図示なし)を利用し、クギ孔６０に通す方式で、屋根瓦モジュールキャリア板１０(或いは、ソーラーパネルキャリア板２０を、屋根構造主体８０上に固定する。
しかも、後側に相対して接続する屋根瓦モジュールキャリア板１０(或いは、ソーラーパネルキャリア板２０)の板体前縁は、第一接触嵌合部４１と第二接触嵌合部の相互嵌合作用を利用し、固定作用を達成することができる。
【００１７】
また、最前方に設置される屋根瓦モジュールキャリア板１０(或いは、ソーラーパネルキャリア板２０)の板体前縁は、図７に示すように、クギ７１を利用し、第一接続部３１から屋根構造主体８０に打ち込む方式で固定し、或いは図８に示すように、クギ７１を利用し、フック片７２を屋根構造主体８０上にクギ付けし、フック片７２を第一接続部３１に嵌めて固定する方式により固定する。
或いは、図９に示すように、クギ７１を利用し、防風クリップ７３を屋根構造主体８０上に固定する(図示なし)ことで、防風クリップ７３と屋根瓦モジュールキャリア板１０(或いは、ソーラーパネルキャリア板２０)との間には、防水機能を備えるワッシャ７４を設置することもできる。
【００１８】
さらに、図３、４に示すように、屋根瓦モジュールキャリア板１とソーラーパネルキャリア板２０は、その板体が対応する第一接触嵌合部４１の後端位置に、それぞれストッパー部５２を設置する。
これにより、各キャリア板が相互に前後に接合する時、ストッパー部５２が凹口５１下縁に対して構成するストッパー作用(図５参照)により、後方の屋根瓦モジュールキャリア板１０(或いは、ソーラーパネルキャリア板２０)板体前縁に接続する固定効果向上を助ける。
また図１０に示すように、屋根瓦モジュールキャリア板１０及びソーラーパネルキャリア板２０の第一、第二接続部３１、３２位置には、相互に嵌合する棒状突起３３をそれぞれ設置する。
これにより、キャリア板間の横方向の固定効果を、増強することができる。
【００１９】
上記の技術内容と特徴は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２０】
本考案は実用新案の要件である新規性を備え、従来の同類製品に比べ十分な進歩を有し、実用性が高く、社会のニーズに合致しており、産業上の利用価値は非常に大きい。
【符号の説明】
【００２１】
１０  屋根瓦モジュールキャリア板
２０  ソーラーパネルキャリア板
２１  ソーラーパネル
３１  第一接続部
３２  第二接続部
３３  棒状突起
４１  第一接触嵌合部
４２  第二接触嵌合部
５１  凹口
５２  ストッパー部
６０  クギ孔
７１  クギ
７２  フック片
７３  防風クリップ
７４  ワッシャ
８０  屋根構造主体
【図１】
0003153661.tif 000003
【図２】
0003153661.tif 000004
【図３】
0003153661.tif 000005
【図４】
0003153661.tif 000006
【図５】
0003153661.tif 000007
【図６】
0003153661.tif 000008
【図７】
0003153661.tif 000009
【図８】
0003153661.tif 000010
【図９】
0003153661.tif 000011
【図１０】
0003153661.tif 000012
【手続補正書】
【提出日】平成21年5月22日(2009.5.22)
【手続補正１】
【補正対象書類名】実用新案登録請求の範囲
【補正対象項目名】全文
【補正方法】変更
【補正の内容】
【実用新案登録請求の範囲】
【請求項１】
ソーラーパネルキャリア体は、若干の屋根瓦モジュールキャリア板、少なくとも１個のソ
ーラーパネルキャリア板を備え、
前記若干の屋根瓦モジュールキャリア板の板体の両側には、位置が比較的低い第一接続部
と、位置が比較的高い第二接続部をそれぞれ形成し、前記第二接続部の前側には、第一接
触嵌合部を設置し、前記板体の中心線前側の板縁位置には、前記第二接続部上方を跨いで
設置する凹口を設置し、前記板体の中心線後側の板面には、前記第一接触嵌合部と嵌合作
用を構成する第二接触嵌合部を設置し、
前記少なくとも１個のソーラーパネルキャリア板は、その板体上にソーラーパネルを設置
し、前記板体の長さを、前記屋根瓦モジュールキャリア板の単位辺りの長さの倍数とし、
前記板体の両側には、前記屋根瓦モジュールキャリア板と相同の第一、第二接続部をそれ
ぞれ形成し、前記各単位の屋根瓦モジュールキャリア板が対応する板体位置には、前記屋
根瓦モジュールキャリア板と相同の凹口と第一、第二接触嵌合部を設置することを特徴と
するソーラーパネルキャリア体。
【請求項２】
ソーラーパネルキャリア体構造の屋根瓦モジュールキャリア板は、その板体の両側には、
位置が比較的低い第一接続部と、位置が比較的高い第二接続部をそれぞれ形成し、
前記第二接続部の前側には、第一接触嵌合部を設置し、前記板体の中心線前側の板縁位置
には、前記第二接続部上方を跨いで設置する凹口を設置し、前記板体の中心線後側の板面
には、前記第一接触嵌合部と嵌合作用を構成する第二接触嵌合部を設置することを特徴と
するソーラーパネルキャリア体構造の屋根瓦モジュールキャリア板。
【請求項３】
ソーラーパネルキャリア体構造のソーラーパネルキャリア板は、その板体上にソーラーパ
ネルを設置し、
前記板体の両側には、位置が比較的低い第一接続部と、位置が比較的高い第二接続部をそ
れぞれ形成し、しかも、前記第二接続部の前側には、第一接触嵌合部を設置し、
前記板体前側の板縁位置には、前記第二接続部上方を跨いで設置する凹口を設置し、前記
板体が凹口に対応する後側の板面には、前記第一接触嵌合部と嵌合作用を構成する第二接
触嵌合部を設置することを特徴とするソーラーパネルキャリア体構造のソーラーパネルキ
ャリア板。
【請求項４】
前記屋根瓦モジュールキャリア板または前記ソーラーパネルキャリア板は、その板体の後側
に、それぞれ少なくとも１個のクギ孔を設置することを特徴とする請求項１、２或いは３
に記載のソーラーパネルキャリア体。
【請求項５】
前記屋根瓦モジュールキャリア板または前記ソーラーパネルキャリア板は、その板体の前記
第一接触嵌合部に対応する後端位置に、ストッパー部を設置することを特徴とする請求項
１、２或いは３に記載のソーラーパネルキャリア体。
【請求項６】
前記第一接触嵌合部と前記第二接触嵌合部は、それぞれ相互に嵌合可能な凸ブロックと
凹部であることを特徴とする請求項１、２或いは３に記載のソーラーパネルキャリア体。
【請求項７】
前記第一接続部と前記第二接続部には、相互に嵌合可能な棒状突起をそれぞれ設置する
ことを特徴とする請求項１、２或いは３に記載のソーラーパネルキャリア体。
【手続補正書】
【提出日】平成21年7月10日(2009.7.10)
【手続補正１】
【補正対象書類名】実用新案登録請求の範囲
【補正対象項目名】全文
【補正方法】変更
【補正の内容】
【実用新案登録請求の範囲】
【請求項１】
ソーラーパネルキャリア体は、若干の屋根瓦モジュールキャリア板、少なくとも１個のソーラーパネルキャリア板を備え、前記若干の屋根瓦モジュールキャリア板の板体の両側には、位置が比較的低い第一接続部と、位置が比較的高い第二接続部をそれぞれ形成し、前記第二接続部の前側には、第一接触嵌合部を設置し、前記板体の中心線前側の板縁位置には、前記第二接続部上方を跨いで設置する凹口を設置し、前記板体の中心線後側の板面には、前記第一接触嵌合部と嵌合作
用を構成する第二接触嵌合部を設置し、前記少なくとも１個のソーラーパネルキャリア板は、その板体上にソーラーパネルを設置し、前記板体の長さを、前記屋根瓦モジュールキャリア板の単位辺りの長さの倍数とし、前記板体の両側には、前記屋根瓦モジュールキャリア板と相同の第一、第二接続部をそれぞれ形成し、前記各単位の屋根瓦モジュールキャリア板が対応する板体位置には、前記屋根瓦モジュールキャリア板と相同の凹口と第一、第二接触嵌合部を設置することを特徴とするソーラーパネルキャリア体。
【請求項２】
ソーラーパネルキャリア体構造の屋根瓦モジュールキャリア板は、その板体の両側には、位置が比較的低い第一接続部と、位置が比較的高い第二接続部をそれぞれ形成し、前記第二接続部の前側には、第一接触嵌合部を設置し、前記板体の中心線前側の板縁位置には、前記第二接続部上方を跨いで設置する凹口を設置し、前記板体の中心線後側の板面には、前記第一接触嵌合部と嵌合作用を構成する第二接触嵌合部を設置することを特徴とするソーラーパネルキャリア体構造の屋根瓦モジュールキャリア板。
【請求項３】
ソーラーパネルキャリア体構造のソーラーパネルキャリア板は、その板体上にソーラーパネルを設置し、前記板体の両側には、位置が比較的低い第一接続部と、位置が比較的高い第二接続部をそれぞれ形成し、しかも、前記第二接続部の前側には、第一接触嵌合部を設置し、前記板体前側の板縁位置には、前記第二接続部上方を跨いで設置する凹口を設置し、前記板体が凹口に対応する後側の板面には、前記第一接触嵌合部と嵌合作用を構成する第二接触嵌合部を設置することを特徴とするソーラーパネルキャリア体構造のソーラーパネルキャリア板。
【請求項４】
前記屋根瓦モジュールキャリア板または前記ソーラーパネルキャリア板は、その板体の後側に、それぞれ少なくとも１個のクギ孔を設置することを特徴とする請求項１に記載のソーラーパネルキャリア体。
【請求項５】
前記屋根瓦モジュールキャリア板または前記ソーラーパネルキャリア板は、その板体の前記第一接触嵌合部に対応する後端位置に、ストッパー部を設置することを特徴とする請求項１に記載のソーラーパネルキャリア体。
【請求項６】
前記第一接触嵌合部と前記第二接触嵌合部は、それぞれ相互に嵌合可能な凸ブロックと凹部であることを特徴とする請求項１に記載のソーラーパネルキャリア体。
【請求項７】
前記第一接続部と前記第二接続部には、相互に嵌合可能な棒状突起をそれぞれ設置することを特徴とする請求項１に記載のソーラーパネルキャリア体。